Podtech/llm-jp-corpus-v4-ja_patent huggingface dataset:
【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
チップパッケージであって、
垂直スタックにおいて垂直方向に配列され、前記垂直スタック内の第１の半導体ダイに対して略垂直な一組の半導体ダイを備え、
前記第１の半導体ダイの後の各半導体ダイは、前記垂直スタックにおける直前の半導体ダイからあるオフセット値だけ水平方向にオフセットされ、それによって、前記垂直スタックの一方の側面に階段状テラスを規定し、
前記チップパッケージは、
前記半導体ダイに電気的に、かつ堅固に機械的に結合された傾斜部品をさらに備え、
前記傾斜部品は、前記垂直スタックの前記一方の側面に位置付けられ、
前記傾斜部品は、水平方向と垂直方向との間である前記階段状テラスに沿った方向に対して略平行であり、
前記半導体ダイの各々は、静的屈曲部を含み、それによって、前記半導体ダイの各々の終端部が前記階段状テラスに沿った方向に平行に、前記傾斜部品に機械的に結合される、チップパッケージ。
【請求項２】
前記屈曲部に関連した前記半導体ダイの各々の応力は、前記半導体ダイの降伏強度よりも小さい、請求項１に記載のチップパッケージ。
【請求項３】
前記半導体ダイの各々の厚みは、前記半導体ダイの各々が前記屈曲を容易にする曲げモーメントを有するように規定される、請求項１に記載のチップパッケージ。
【請求項４】
前記傾斜部品は、前記半導体ダイの各々にはんだ付けされる、請求項１に記載のチップパッケージ。
【請求項５】
前記傾斜部品は、マイクロスプリングによって、前記半導体ダイの各々の終端部に電気的に結合される、請求項１に記載のチップパッケージ。
【請求項６】
前記傾斜部品は、はんだによって、前記半導体ダイの各々の終端部に電気的に結合される、請求項１に記載のチップパッケージ。
【請求項７】
前記傾斜部品は、異方性導電膜によって、前記半導体ダイの各々の終端部に電気的に結合される、請求項１に記載のチップパッケージ。
【請求項８】
前記傾斜部品は、
前記階段状テラスに平行な方向に沿って光信号を搬送するように構成された光導波路と、
一組の光学結合要素とを含み、
前記一組の光学結合要素における所与の光学結合要素は、前記一組の半導体ダイにおける所与の半導体ダイの終端部に、前記光信号を光学的に結合するように構成される、請求項１に記載のチップパッケージ。
【請求項９】
前記一組の光学結合素子における光学結合素子は、光−電気変換器を含む、請求項８に記載のチップパッケージ。
【請求項１０】
前記傾斜部品は、容量結合近接通信を用いて、前記傾斜部品と前記半導体ダイの各々の終端部との間において、電気信号を電気的に結合するように構成される、請求項１に記載のチップパッケージ。
【請求項１１】
前記半導体ダイの各々の終端部の表面は、エッチピットを含み、
前記半導体ダイにおける前記エッチピットの各々に対して、前記傾斜部品は、対応するエッチピットを含み、
前記チップパッケージは、一組のボールをさらに含み、
前記一組のボールにおける所与のボールは、前記終端部の表面におけるエッチピットと前記傾斜部品内の前記対応するエッチピットとを機械的に結合する、請求項１に記載のチップパッケージ。
【請求項１２】
チップパッケージを含む電子演算機器であって、
前記チップパッケージは、
垂直スタックにおいて垂直方向に配列され、前記垂直スタック内の第１の半導体ダイに対して略垂直な一組の半導体ダイを含み、
前記第１の半導体ダイの後の各半導体ダイは、前記垂直スタックにおける直前の半導体ダイからあるオフセット値だけ水平方向にオフセットされ、それによって、前記垂直スタックの一方の側面に階段状テラスを規定し、
前記チップパッケージは、
前記半導体ダイに電気的に、かつ堅固に機械的に結合された傾斜部品をさらに備え、
前記傾斜部品は、前記垂直スタックの前記一方の側面に位置付けられ、
前記傾斜部品は、水平方向と垂直方向との間である前記階段状テラスに沿った方向に対して略平行であり、
前記半導体ダイの各々は、静的屈曲部を含み、それによって、前記半導体ダイの各々の終端部が前記階段状テラスに沿った方向に平行に、前記傾斜部品に機械的に結合される、電子演算機器。
【請求項１３】
信号を通信するための方法であって、
垂直スタック内において垂直方向に配列された一組の半導体ダイに、電気的に、かつ堅固に機械的に結合された傾斜部品内において前記信号を搬送するステップを備え、
前記半導体ダイは、水平方向に互いにオフセットされ、それによって前記垂直スタックの一方の側面に階段状テラスを規定し、
前記傾斜部品は、水平方向と垂直方向の間である前記階段状テラスに沿った方向に略平行に、前記垂直スタックの前記一方の側面に位置付けられ、
前記方法は、
前記一組の半導体ダイにおける所与の半導体ダイに、前記所与の半導体ダイの終端部において前記信号を結合するステップをさらに備え、
前記所与の半導体ダイは、静的屈曲部を含み、それによって、前記終端部が前記階段状テラスに沿った方向に平行に、前記傾斜部品に機械的に結合される、方法。
【手続補正書】
【提出日】平成26年6月5日(2014.6.5)
【手続補正１】
【補正対象書類名】特許請求の範囲
【補正対象項目名】全文
【補正方法】変更
【補正の内容】
【特許請求の範囲】
【請求項１】
ガスタービンエンジンロータアセンブリであって、
中心線軸の周囲を囲んでいる第１および第２のロータコンポーネントであって、前記第１のロータコンポーネントがその上に環状スリーブを含む第１および第２のロータコンポーネントと、
環状テーパ円錐スロットであって、前記スロットの環状開口から軸方向に内側に向かって前記スリーブの中へ延在している環状テーパ円錐スロットと
を備え、
前記テーパ円錐スロットが前記開口から前記スリーブの中へ軸方向に先細りになり、
前記スリーブが、部分的に前記円錐スロットを画定しているスリーブ内部円錐表面を含み、
前記第２のロータコンポーネントが、前記円錐スロットの中に受け取られた環状リムを含み、
前記環状リムが、前記スリーブ内部円錐表面と整合し、かつ、前記スリーブ内部円錐表面に押し付けられるリム内部円錐表面を含み、
前記ガスタービンエンジンロータアセンブリは、
部分的に前記スリーブ内の前記円錐スロットを画定しているスリーブ円筒状外部表面と、
前記環状リム上のリム外部円筒状表面と
をさらに備え、
前記環状リム外部円筒状表面が前記スリーブ円筒状外部表面と整合し、かつ、接触する
ことを特徴とする、ガスタービンエンジンロータアセンブリ。
【請求項２】
前記スリーブおよび前記環状開口部のスリーブ内部円錐表面から半径方向に内側に向かって前記円錐スロットまで延在する環状リップをさらに備える、請求項１記載のアセンブリ。
【請求項３】
中心線軸の周囲を囲んでいる第１段ディスクと第２段ディスクの間に軸方向に配置され、かつ、前記第１段ディスクおよび前記第２段ディスクに接続された段間シールと、
前記第１段ディスク上の環状スリーブと、
環状テーパ円錐スロットであって、前記スロットの環状開口から軸方向に内側に向かって前記スリーブの中へ延在している環状テーパ円錐スロットと
を備え、
前記テーパ円錐スロットが前記開口から前記スリーブの中へ軸方向に先細りになり、
前記スリーブが、部分的に前記円錐スロットを画定しているスリーブ内部円錐表面を含み、
前記段間シールが、前記円錐スロットの中に受け取られた環状リムを含み、
前記環状リムが、前記スリーブ内部円錐表面と整合し、かつ、前記スリーブ内部円錐表面に押し付けられるリム内部円錐表面を含む
ガスタービンエンジンロータアセンブリ。
【請求項４】
部分的に前記スリーブ内の前記円錐スロットを画定しているスリーブ円筒状外部表面と、
前記環状リム上のリム外部円筒状表面と
をさらに備え、前記環状リム外部円筒状表面が前記スリーブ円筒状外部表面と整合し、かつ、接触する、請求項３記載のアセンブリ。
【請求項５】
前記スリーブおよび前記環状開口部のスリーブ内部円錐表面から半径方向に内側に向かって前記円錐スロットまで延在する環状リップをさらに備える、請求項３又は４記載のアセンブリ。
【請求項６】
前記段間シールの環状外部シェルから軸方向に前記第１段ディスクに向かって延在する前腕の上に前記環状リムをさらに備える、請求項３乃至５のいずれか１項に記載のアセンブリ。
【請求項７】
前記第１段ディスクの上に取り付けられた後部ボルト無しブレードリテーナをさらに備え、前記ブレードリテーナが前記スリーブを含む、請求項６記載のアセンブリ。
【請求項８】
部分的に前記スリーブ内の前記円錐スロットを画定しているスリーブ円筒状外部表面と、
前記環状リム上のリム外部円筒状表面と
をさらに備え、前記環状リム外部円筒状表面が前記スリーブ円筒状外部表面と整合し、かつ、接触する、請求項７記載のアセンブリ。
【請求項９】
前記スリーブおよび前記環状開口部のスリーブ内部円錐表面から半径方向に内側に向かって前記円錐スロットまで延在する環状リップをさらに備える、請求項８記載のアセンブリ。
【請求項１０】
ガスタービンエンジンタービンディスク環状ブレードリテーナであって、
中心線軸の周囲を囲んでいる前記ブレードリテーナと、
前記ブレードリテーナ上の環状スリーブと、
環状テーパ円錐スロットであって、前記スロットの環状開口から軸方向に内側に向かって前記スリーブの中へ延在している環状テーパ円錐スロットと
を備え、
前記テーパ円錐スロットが前記開口から前記スリーブの中へ軸方向に先細りになり、
前記スリーブが、
部分的に前記円錐スロットを画定しているスリーブ内部円錐表面と、
部分的に前記円錐スロットを画定しているスリーブ円筒状外部表面と、
前記スリーブ内部円錐表面から軸方向に離れるように延び、先細りになり、且つ前記環状開口部のスリーブ内部円錐表面から半径方向に内側に向かって前記円錐スロットまで延在する環状リップと
をさらに備える
ことを特徴とする、ガスタービンエンジンタービンディスク環状ブレードリテーナ。
【請求項１１】
段間シールであって、
中心線軸の周囲を囲んでいるシールと、
前記段間シールの環状外部シェルから軸方向に延在している前腕と
を備え、
前記前腕が環状テーパリムを含み、
前記環状テーパリム全体が、前記環状外部シェルから軸方向に離れるように先細り、該環状テーパリムが、半径方向内側に面するリム内部円錐表面を含む
段間シール。
【請求項１２】
前記環状テーパリムが、半径方向外側に面するリム外部円筒状表面をさらに備える、請求項１１記載の段間シール。
【請求項１３】
ガスタービンエンジンタービンディスク環状ブレードリテーナであって、
中心線軸の周囲を囲んでいるリテーナと、
前記ブレードリテーナ上の環状スリーブと、
環状テーパ円錐スロットであって、前記スロットの環状開口から軸方向に内側に向かって前記スリーブの中へ延在している環状テーパ円錐スロットと
を備え、
前記テーパ円錐スロットが前記開口から前記スリーブの中へ軸方向に先細りになり、
前記スリーブが、部分的に前記円錐スロットを画定しているスリーブ内部円錐表面を含み、
前記リテーナが、ワイヤシールを含むための後部凹所を含み、前記環状テーパ円錐スロットが、前記環状開口から軸方向前方に前記スリーブ内に延び、前記円錐スロットが前記開口から前記スリーブ内に軸方向に先細になる、
ガスタービンエンジンタービンディスク環状ブレードリテーナ。
【請求項１４】
部分的に前記スリーブ内の前記円錐スロットを画定しているスリーブ円筒状外部表面をさらに備える、請求項１３記載のブレードリテーナ。
【請求項１５】
前記スリーブおよび前記環状開口部のスリーブ内部円錐表面から半径方向に内側に向かって前記円錐スロットまで延在する環状リップをさらに備え、該環状リップが、前記スリーブ内部円錐表面から離れて軸方向後方に向けて延びる、請求項１３又は１４記載のブレードリテーナ。
【手続補正書】
【提出日】平成26年7月1日(2014.7.1)
【手続補正１】
【補正対象書類名】特許請求の範囲
【補正対象項目名】全文
【補正方法】変更
【補正の内容】
【特許請求の範囲】
【請求項１】
画像システムであって、
凹面の非球面反射面および第１の距離以下である外径を有する後方平面反射体であって、前記後方平面反射体内に開口が形成され、前記開口が、視野から前記画像システムへと光を受け入れる後方平面反射体と、
凹面の非球面反射面および前記第１の距離以下である外径を有する前方平面反射体であって、前記前方平面反射体内に開口が形成され、前記開口が、前記画像システムから像面へと前記光を送り出す前方平面反射体と、
前記前方平面反射体からの光を受けて、前記光を前記前方平面反射体内の前記開口を介して前記画像システムから送り出すための凸面の非球面反射面を有する中央反射体と、
を含む画像システム。
【請求項２】
前記視野から前記画像システムへと受け入れた前記光は、前記前方平面反射体において２回反射し、前記後方平面反射体および前記中央反射体の両方において、それぞれ１回ずつ反射する、請求項１に記載の画像システム。
【請求項３】
前記画像システムは、純粋な反射光学システムである、請求項１に記載の画像システム。
【請求項４】
前記第１の距離は、約１７２ミリメートル以下である、請求項１に記載の画像システム。
【請求項５】
前記中央反射体は、前記後方平面反射体と前記前方平面反射体との間に配置される、請求項１に記載の画像システム。
【請求項６】
前記後方平面反射体の前記反射面は、前記前方平面反射体の前記反射面に向き合う、請求項１に記載の画像システム。
【請求項７】
前記システムは、約０．３７５から約０．９３の開口数を有する扇状の光を前記視野から受け入れて、前記像面へ送り出す、請求項１に記載の画像システム。
【請求項８】
前記中央反射体から放出された前記光を、前記後方平面反射体内の前記開口を介して受け取るように配置された屈折光学要素をさらに備える、請求項１に記載の画像システム。
【請求項９】
前記視野からの前記光の一部分を捉えて、前記光の一部分を、前記前方平面反射体と前記後方平面反射体との間の前記システムから送り出すために、前記後方平面反射体と前記中央反射体との間に配置された直角屈折プリズムをさらに備える、請求項１に記載の画像システム。
【請求項１０】
前記直角屈折プリズムは、湾曲した入力面および出力面を有する、請求項９に記載の画像システム。
【請求項１１】
前記直角屈折プリズムは、約０．３の開口数を有する扇状の光を前記視野から受け入れて、前記システムから送り出す、請求項９に記載の画像システム。
【請求項１２】
前記後方平面反射体と前記前方平面反射体との間の前記システム内、前記直角屈折プリズム内および前記視野上へ照射光を向けるための光源をさらに備える、請求項９に記載の画像システム。
【請求項１３】
画像システムであって、
凹面の非球面反射面および第１の距離以下である外径を有する後方平面反射体であって、前記後方平面反射体内に開口が形成され、前記開口が、視野から前記画像システムへと光を受け入れる後方平面反射体と、
凹面の非球面反射面および前記第１の距離以下である外径を有する前方平面反射体であって、前記前方平面反射体内に開口が形成され、前記開口が、前記画像システムから像面へと前記光を送り出す前方平面反射体において、前記後方平面反射体の前記反射面は、前記前方平面反射体の前記反射面に向き合う前方平面反射体と、
前記後方平面反射体と前記前方平面反射体との間に配置され、前記前方平面反射体からの光を受けて、前記光を前記前方平面反射体内の前記開口を介して前記画像システムから送り出すための凸面の非球面反射面を有する中央反射体において、前記視野から前記画像システムへと受け入れた前記光は、前記前方平面反射体において２回反射し、前記後方平面反射体および前記中央反射体の両方において、それぞれ１回ずつ反射する中央反射体と、
を備える画像システム。
【請求項１４】
前記システムは、約０．３７５から約０．９３の開口数を有する扇状の光を前記視野から受け入れて、前記像面へ送り出す、請求項１３に記載の画像システム。
【請求項１５】
前記中央反射体から放出された前記光を、前記後方平面反射体内の前記開口を介して受け取るように配置された屈折光学要素をさらに備える、請求項１３に記載の画像システム。
【請求項１６】
前記視野からの前記光の一部分を捉えて、前記光の一部分を、前記前方平面反射体と前記後方平面反射体との間の前記システムから送り出すために、前記後方平面反射体と前記中央反射体との間に配置された直角屈折プリズムをさらに備える、請求項１３に記載の画像システム。
【請求項１７】
前記直角屈折プリズムは、湾曲した入力面および出力面を有する、請求項１６に記載の画像システム。
【請求項１８】
前記直角屈折プリズムは、約０．３までの開口数を有する扇状の光を前記視野から受け入れて、前記システムから送り出す、請求項１６に記載の画像システム。
【請求項１９】
前記後方平面反射体と前記前方平面反射体との間の前記システム内、前記直角屈折プリズム内および前記視野上へ照射光を向けるための光源をさらに備える、請求項１６に記載の画像システム。
【請求項２０】
画像システムであって、
凹面の非球面反射面および第１の距離以下である外径を有する後方平面反射体であって、前記後方平面反射体内に開口が形成され、前記開口が、視野から前記画像システムへと光を受け入れる後方平面反射体と、
凹面の非球面反射面および前記第１の距離以下である外径を有する前方平面反射体であって、前記前方平面反射体内に開口が形成され、前記開口が、前記画像システムから像面へと前記光を送り出す前方平面反射体において、前記後方平面反射体の前記反射面は、前記前方平面反射体の前記反射面に向き合う前方平面反射体と、
前記後方平面反射体と前記前方平面反射体との間に配置され、前記前方平面反射体からの光を受けて、前記光を前記前方平面反射体内の前記開口を介して前記画像システムから送り出すための凸面の非球面反射面を有する中央反射体と、
湾曲した入力面および出力面を有する直角屈折プリズムであって、約０．３までの開口数を有する前記視野からの前記光の一部分を捉えて、前記光の一部分を、前記前方平面反射体と前記後方平面反射体との間の前記システムから送り出すために、前記後方平面反射体と前記中央反射体との間に配置される直角屈折プリズムと、
を備える画像システムであって、
前記視野から前記画像システムへと受け入れた前記光が、前記前方平面反射体において２回反射し、前記後方平面反射体および前記中央反射体の両方において、それぞれ１回ずつ反射し、前記中央反射体を離れて前記システムから送り出されるときに約０．３７５から約０．９３の開口数を有する画像システム。
【手続補正書】
【提出日】平成26年7月31日(2014.7.31)
【手続補正１】
【補正対象書類名】特許請求の範囲
【補正対象項目名】全文
【補正方法】変更
【補正の内容】
【特許請求の範囲】
【請求項１】
ガスが取り込まれる真空ポンプ装置（１３，５３）、及び取り込まれた前記ガスの少なくとも１つのガス成分を検出するための第１センサ（１６）を有し、該第１センサが可飽和ガス選択性センサタイプである漏れ検出器において、
熱伝導センサタイプである第２センサ（３８）が取り込まれた前記ガスの熱伝導度を検出するために設けられ、前記第１及び／または第２センサが限界値以上の前記ガス成分の濃度を検出すると、前記第１センサ（１６）をブラインドモードに切り替えるための手段が設けられ、前記第１センサ（１６）が前記ガス成分の低濃度の範囲をカバーし、前記第２センサ（３８）が高濃度の範囲をカバーすることを特徴とする漏れ検出器。
【請求項２】
前記第１センサ（１６）の上流で、弁（Ｖ２）が取り込まれたガスのガス流の中に配置され、前記弁は、前記ブラインドモードを実行するために閉じた状態に切り替えられることを特徴とする請求項１に記載の漏れ検出器。
【請求項３】
前記第１センサ（１６）は、加熱可能で、選択的にガスを透過させる膜（１７）を備え、前記ブラインドモードを実行するために、前記膜の加熱が停止されることを特徴とする請求項１に記載の漏れ検出器。
【請求項４】
大気からガスを取り込むためのスニファープローブ（１２）が設けられ、前記第１センサ（１６）が測定管（３５）に設けられ、前記第２センサ（３８）が吸入管（３６）に設けられ、前記吸入管は、距離感度を増加させるように、前記スニファープローブ（１２）から前記真空ポンプ装置（１３）に直接繋がり、前記測定管よりも速い速度の流れを運ぶことを特徴とする請求項１ないし３のいずれか１項に記載の漏れ検出器。
【請求項５】
前記第２センサ（３８）は大気圧に近い一定の全圧が広がる位置に配置され、前記センサは特に吸入管（３６）に、または前記漏れ検出器の空気出口に配置されることを特徴とする請求項１ないし４のいずれか１項に記載の漏れ検出器。
【請求項６】
前記第１センサ（１６）の前記ブラインドモードの実行のために、制御装置（４０）によって制御される弁（５６，５６ａ）を有するバイパス管（５４）を備えることを特徴とする請求項１ないし５のいずれか１項に記載の漏れ検出器。
【請求項７】
ガスが取り込まれる真空ポンプ装置（１３，５３）、及び取り込まれた前記ガスの少なくとも１つのガス成分を検出するための第１センサ（１６ａ）を有し、該第１センサが可飽和ガス選択性センサタイプである漏れ検出器において、
熱伝導センサタイプである第２センサ（３８）が取り込まれた前記ガスの熱伝導度を検出するために設けられ、全圧が限界値以上であると、前記第１センサ（１６ａ）をブラインドモードに切り替えるための手段が設けられ、前記第１センサ（１６ａ）が前記全圧の低い範囲をカバーし、前記第２センサ（３８）が前記全圧の高い範囲をカバーすることを特徴とする漏れ検出器。
【請求項８】
前記第１センサ（１６ａ）の上流で、弁（Ｖ２）が取り込まれたガスのガス流の中に配置され、前記弁は、前記ブラインドモードを実行するために、閉じた状態に切り替えられることを特徴とする請求項７に記載の漏れ検出器。
【手続補正２】
【補正対象書類名】明細書
【補正対象項目名】００２８
【補正方法】変更
【補正の内容】
【００２８】
第１センサ１６及び第２センサ３８からの信号が、制御手段４０に送信され、第１センサまたは第２センサが限界値以上の濃度を測定すると、制御ライン４１によって第１センサ１６をブラインドモードに切り替える。これによって、第１センサが飽和するか、またはコンタミネーションの限界を超えることがそれぞれ回避される。
【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
患者に関する患者ケアサイクルの複数のフェーズの間、前記患者により受けられる患者ケアを示す情報を取得するステップと、
前記患者ケアサイクルの異なるフェーズに関して提案されるケアのパターンを取得するステップと、
前記パターンに基づき、前記患者ケアを示す情報と前記フェーズとを相関させるステップと、
前記相関に基づき、鍵疾患記述子を前記情報から抽出するステップであって、前記鍵疾患記述子が、疾患の状態又は進行の少なくともいずれかを示す、ステップと、
前記抽出された鍵疾患記述子を示す信号を生成するステップとを有する、方法。
【請求項２】
前記信号に基づき、前記患者ケアサイクルの関数として、前記鍵疾患記述子を示すタイムラインを生成及び提供するステップを更に有する、請求項１に記載の方法。
【請求項３】
前記タイムラインが、前記患者ケアサイクルの前記フェーズの関数として、前記鍵疾患記述子を示す、請求項２に記載の方法。
【請求項４】
前記タイムラインが更に、前記フェーズ又は前記患者ケアサイクルの関数として、前記患者により受けられる前記患者ケアを表す、請求項１乃至３のいずれかに記載の方法。
【請求項５】
前記フェーズが、診断フェーズ、ステージングフェーズ又は処置前評価フェーズの１つ又は複数に対応する、請求項１乃至４のいずれかに記載の方法。
【請求項６】
前記患者に対して実行される医療関連の検査、テスト又は治療の少なくとも１つに対応する情報を含む電子データから、前記患者ケア情報を取得するステップを更に有する、請求項１乃至５のいずれかに記載の方法。
【請求項７】
前記患者ケアを示す情報が、前記フェーズに属する前記情報の尤度に基づき、前記フェーズと相関される、請求項１乃至６のいずれかに記載の方法。
【請求項８】
自然言語アルゴリズムを用いて、フリーテキストを含む電子データから、前記鍵疾患記述子を取得するステップを更に有する、請求項１乃至７のいずれかに記載の方法。
【請求項９】
前記タイムラインが、前記患者に関する臨床決定を決定するために使用される、請求項２乃至８のいずれかに記載の方法。
【請求項１０】
前記パターンが、電子フォーマットにおいて提供される臨床診療ガイドラインから得られる、請求項１に記載の方法。
【請求項１１】
前記タイムラインが、前記サイクルにわたり前記患者の疾患の進行を示す一体化され、かつコンテキスト化された情報、又は前記患者の医学履歴の総合的な概要の少なくとも１つを提供する、請求項２乃至１０のいずれかに記載の方法。
【請求項１２】
患者の関心状態に基づき、患者ケアリポジトリからデータをフィルタリングするステップを更に有し、前記取得された情報が、前記フィルタリングされたデータから取得される、請求項１乃至１１のいずれかに記載の方法。
【請求項１３】
患者により受けられる患者ケアを示す電子情報を取得する受信済み患者ケア情報取得部と、
前記患者の患者ケアサイクルの異なるフェーズに対して提案されたケアのパターンを取得するフェーズパターン取得部と、
前記患者により受けられる前記患者ケア及び前記フェーズに対して提案されたケアの間の相関を示す信号を生成するイベント対フェーズ相関器と、
前記相関に基づき、前記患者に関する鍵疾患記述子を特定及び取得する鍵記述子特定部であって、前記鍵疾患記述子が、疾患の状態又は進行の少なくともいずれかを示す、鍵記述子特定部とを有する、システム。
【請求項１４】
前記鍵疾患記述子及び前記相関に基づき、前記タイムラインを生成するタイムライン生成器を更に有する、請求項１３に記載のシステム。
【請求項１５】
前記タイムラインが、前記サイクルの複数のフェーズの関数として、前記情報を提供する、請求項１４に記載のシステム。
【請求項１６】
コンピュータ実行可能な命令でエンコードされるコンピュータ可読ストレージ媒体であって、前記命令が、コンピュータのプロセッサにより実行されるとき、前記プロセッサに、
実行サイクルの複数のフェーズの関数として、前記実行サイクルに関する状態情報及び完了したイベント情報を示すタイムラインを生成及び提供させる、コンピュータ可読ストレージ媒体。
【手続補正書】
【提出日】平成26年8月27日(2014.8.27)
【手続補正１】
【補正対象書類名】特許請求の範囲
【補正対象項目名】全文
【補正方法】変更
【補正の内容】
【特許請求の範囲】
【請求項１】
第１カテゴリーのアイテムと、前記第１カテゴリーと関連した指示子とを表示部に表示する過程と、
プロセッサが、前記表示部の画面上でスクロールジェスチャーを検出することに応答し、前記アイテムが前記第１カテゴリーの最後のアイテムである場合、前記第１カテゴリーのアイテムの表示から前記第２カテゴリーのアイテムの表示に遷移（ｔｒａｎｓｉｔｉｏｎ）する過程と、
を含み、
前記指示子は、各々のカテゴリー内で前記表示されるアイテムの位置（ｐｏｓｉｔｉｏｎ）を指示することを特徴とする方法。
【請求項２】
前記指示子は、前記表示が、前記第１カテゴリーのアイテムの表示から前記第２カテゴリーのアイテムの表示に遷移する場合、変化することを特徴とする請求項１に記載の方法。
【請求項３】
前記スクロールジェスチャーの方向は、前記第１カテゴリーのアイテムの表示から前記第２カテゴリーのアイテムの表示への遷移の表示された方向に対応することを特徴とする請求項１に記載の方法。
【請求項４】
前記プロセッサは、前記第１カテゴリーが、表示可能な追加的なアイテムを有していない場合、前記第１カテゴリーのアイテムの表示から前記第２カテゴリーのアイテムの表示への遷移を制御することを特徴とする請求項１に記載の方法。
【請求項５】
前記プロセッサにより検出されたスクロールジェスチャーの各々は、前記第１カテゴリー内で他のアイテムに対する前記表示をスクロールし、前記第１カテゴリーで最後のアイテムが表示された後に他のスクロールが検出された場合、前記第２カテゴリーのアイテムに対する表示に遷移することを特徴とする請求項１に記載の方法。
【請求項６】
前記プロセッサは、カテゴリー遷移のための選択の検出なしに、前記第１カテゴリーのアイテムの表示から前記第２カテゴリーのアイテムの表示に遷移することを特徴とする請求項１に記載の方法。
【請求項７】
表示部と、
入力部と、 
第１カテゴリーのアイテムと、前記第１カテゴリーと関連した指示子とを表示するように前記表示部を制御し、前記表示部の画面上でスクロールジェスチャーを検出するように前記入力部を制御し、スクロールジェスチャーに応答し、前記アイテムが前記第１カテゴリーの最後のアイテムである場合、前記第１カテゴリーのアイテムの表示から前記第２カテゴリーのアイテムの表示に遷移（ｔｒａｎｓｉｔｉｏｎ）するように設定されたプロセッサと、
を含み、
前記指示子は、各々のカテゴリー内で前記表示されるアイテムの位置（ｐｏｓｉｔｉｏｎ）を指示することを特徴とする電子装置。
【請求項８】
前記指示子は、前記表示が、前記第１カテゴリーのアイテムの表示から前記第２カテゴリーのアイテムの表示に遷移する場合、変化することを特徴とする請求項７に記載の電子装置。
【請求項９】
前記スクロールジェスチャーの方向は、前記第１カテゴリーのアイテムの表示から前記第２カテゴリーのアイテムの表示への遷移の表示された方向に対応することを特徴とする請求項７に記載の電子装置。
【請求項１０】
前記プロセッサは、前記第１カテゴリーが、表示可能な追加的なアイテムを有していない場合、前記第１カテゴリーのアイテムの表示から前記第２カテゴリーのアイテムの表示への遷移を制御することを特徴とする請求項７に記載の電子装置。
【請求項１１】
前記プロセッサにより検出されたスクロールジェスチャーの各々は、前記第１カテゴリー内で他のアイテムに対する前記表示をスクロールし、前記第１カテゴリーで最後のアイテムが表示された後に他のスクロールが検出された場合、前記第２カテゴリーのアイテムに対する表示に遷移することを特徴とする請求項７に記載の電子装置。
【請求項１２】
前記プロセッサは、カテゴリー遷移のための選択の検出なしに、前記第１カテゴリーのアイテムの表示から前記第２カテゴリーのアイテムの表示に遷移することを特徴とする請求項７に記載の電子装置。
【請求項１３】
第１カテゴリーの少なくとも一つのアイテムと、前記第１カテゴリーと関連した指示子とをタッチスクリーンに表示する過程と、
プロセッサが、前記タッチスクリーン上でのスクロールジェスチャーを受信する過程と、
前記スクロールジェスチャーに応答し、前記第１カテゴリーの最後のアイテムを表示し、次いですぐに第２カテゴリーの少なくとも一つのアイテムを表示する過程と、
を含み、
前記指示子は、各々のカテゴリー内で前記表示されるアイテムの位置（ｐｏｓｉｔｉｏｎ）を指示することを特徴とする方法。
【請求項１４】
前記プロセッサは、カテゴリー遷移のための選択の検出なしに、前記第１カテゴリーの少なくとも一つのアイテムの表示から前記第２カテゴリーの少なくとも一つのアイテムの表示への遷移を制御することを特徴とする請求項１３に記載の方法。
【請求項１５】
前記プロセッサは、前記第１カテゴリーが、表示可能な追加的なアイテムを有していない場合、前記第１カテゴリーの少なくとも一つのアイテムの表示から前記第２カテゴリーの少なくとも一つのアイテムの表示への遷移を制御することを特徴とする請求項１３に記載の方法。
【請求項１６】
前記指示子は、前記表示が、前記第１カテゴリーの少なくとも一つのアイテムの表示から前記第２カテゴリーの少なくとも一つのアイテムの表示に遷移する場合、変化することを特徴とする請求項１３に記載の方法。
【請求項１７】
タッチスクリーンと、
第１カテゴリーの少なくとも一つのアイテムと、前記第１カテゴリーと関連した指示子とをタッチスクリーンに表示するように前記タッチスクリーンを制御し、スクロールジェスチャーを受信するように前記タッチスクリーンを制御し、前記スクロールジェスチャーに応答し、前記第１カテゴリーの最後のアイテムを表示し、次いですぐに第２カテゴリーの少なくとも一つのアイテムを表示するように前記タッチスクリーンを制御するプロセッサと、
を含み、
前記指示子は、各々のカテゴリー内で前記表示されるアイテムの位置（ｐｏｓｉｔｉｏｎ）を指示することを特徴とする電子装置。
【請求項１８】
前記プロセッサは、カテゴリー遷移のための選択の検出なしに、前記第１カテゴリーの少なくとも一つのアイテムの表示から前記第２カテゴリーの少なくとも一つのアイテムの表示への遷移を制御することを特徴とする請求項１７に記載の電子装置。
【請求項１９】
前記プロセッサは、前記第１カテゴリーが、表示可能な追加的なアイテムを有していない場合、前記第１カテゴリーの少なくとも一つのアイテムの表示から前記第２カテゴリーの少なくとも一つのアイテムの表示への遷移を制御することを特徴とする請求項１７に記載の電子装置。
【請求項２０】
前記指示子は、前記表示が前記第１カテゴリーの少なくとも一つのアイテムの表示から前記第２カテゴリーの少なくとも一つのアイテムの表示に遷移する場合、変化することを特徴とする請求項１７に記載の電子装置。
【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
第１軸線を中心にして回転可能なアームであり、前記アームが、内部キャビティと一部に貫通スロットとを設けたアームアーバーを有し、且つ前記アームアーバーが直径を固定されており、
凸部を有したブシュであって、この凸部が前記スロットを通り抜けて伸延し且つ前記アームアーバーの前記内部キャビティまで延びる大きさであり、そして、前記アームアーバーの前記スロットを通過して前記内部キャビティに入るまで延びている前記凸部を有する前記ブシュが、前記アームアーバーに隣接配置され、
前記アームに操作可能に結合されたバネであって、前記凸部に並列するコイルと共に前記アームアーバーの内部キャビティの中に設けた前記バネであり、
前記バネが、エンドレス動力伝達要素に張力を与える係合のために、前記アームを前記第１軸線の周りで回転させて、
前記ブッシュの前記凸部が前記バネに連係する位置関係にあって、前記張力を与える係合の方向とは逆方向に前記アームが回転すると、前記バネのコイルが前記ブシュの前記凸部に接触して押し当てて半径方向に拡がり、
摩擦ダンパ作用を発揮するために、前記バネの径方向の拡がりが、前記アームアーバーに対して前記ブシュを半径方向外側に押圧することを特徴とするテンショナ。
【請求項２】
前記ブシュは縦長のスリットを有し、このスリットによって前記ブシュが半径方向に伸張できる請求項１に記載のテンショナ。
【請求項３】
前記ブシュが、前記凸部を有するスリーブを有し、このスリーブがこのスリーブの一端から外側に延長するフランジを有した請求項１に記載のテンショナ。
【請求項４】
前記ブシュのスリーブがおおむね円筒形である請求項３に記載のテンショナ。
【請求項５】
前記アームが、第２軸線を中心にして回転自在に取り付けられたベルト車を有し、この第２軸線が前記第１軸線から平行離間している請求項１に記載のテンショナ。
【請求項６】
さらに、支持部材を有し、前記ブシュを前記支持部材に隣接させて、かつ前記アームアーバーが前記バネと前記ブシュとの間に介在した状態で、この支持部材が前記バネ、前記アームアーバーおよび前記ブシュを収容する請求項１に記載のテンショナ。
【請求項７】
前記バネの前記半径方向伸張によって、前記ブシュが前記支持部材と摩擦係合し、前記摩擦ダンパ作用を発揮する請求項６に記載のテンショナ。
【請求項８】
前記支持部材が静止部材であり、かつ前記第１軸線になるシャフトを有し、前記アームをこのシャフトに回転自在に取り付けた請求項６に記載のテンショナ。
【請求項９】
さらに、前記バネを前記テンショナに封じ込めるキャップからなる請求項１に記載のテンショナ。
【請求項１０】
前記バネの第１端部を前記アームに連結し、そして第２端部を前記キャップに連結した請求項９に記載のテンショナ。
【請求項１１】
非対称性ダンパ作用を発揮する請求項１に記載のテンショナ。
【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
第１軸線を中心にして回転可能なアームであり、一部に貫通スロットを設けたアームアーバーを有する前記アームと、
切り欠きを有し、およびこの切り欠きに受け取られた着脱式スリーブ部を設けたスリーブを構成するブッシュであり、前記着脱式スリーブ部に第１凸部を有する前記ブッシュであって、前記第１凸部が前記スロットに受け取られた状態で前記アームアーバーに隣接配置された前記ブッシュと、
前記アームに結合されたバネであり、前記アームを前記第１軸線の周りで回転させてエンドレス動力伝達要素に張力を与える係合のための前記バネと、
を備え、
前記アームが前記張力を与える係合の方向とは逆方向に回転している間、前記バネが、半径方向に伸張して前記ブッシュの前記第１凸部に接触し、前記アームアーバーに対して前記ブッシュが半径方向外側に押圧され、摩擦ダンパ作用を発揮する位置に設けられたことを特徴とするテンショナ。
【請求項２】
前記ブッシュは縦長のスリットを有し、このスリットによって前記ブッシュが半径方向に伸張できる請求項１に記載のテンショナ。
【請求項３】
前記ブッシュのスリーブが、第２凸部からなり、この第２凸部が前記アームアーバーの第２スロットに受け取られる請求項２に記載のテンショナ。
【請求項４】
前記ブッシュのスリーブがおおむね円筒形である請求項３に記載のテンショナ。
【請求項５】
前記アームアーバーの直径が一定している請求項２に記載のテンショナ。
【請求項６】
前記アームが、第２軸線を中心にして回転自在に取り付けられたベルト車を有し、該第２軸線が前記第１軸線から平行離間している請求項１に記載のテンショナ。
【請求項７】
さらに、支持部材を有し、前記ブッシュを前記支持部材に隣接させて、かつ前記アームアーバーが前記バネと前記ブッシュとの間に介在した状態で、この支持部材が前記バネ、前記アームアーバーおよび前記ブッシュを収容する請求項１に記載のテンショナ。
【請求項８】
前記バネの半径方向伸張によって、前記ブッシュが前記支持部材と摩擦係合し、前記摩擦ダンパ作用を発揮する請求項７に記載のテンショナ。
【請求項９】
前記支持部材が静止部材であり、かつ前記第１軸線になるシャフトを有し、前記アームをこのシャフトに回転自在に取り付けた請求項７に記載のテンショナ。
【請求項１０】
さらに、前記バネを前記テンショナに封じ込めるキャップからなる請求項１に記載のテンショナ。
【請求項１１】
前記バネの第１端部を前記アームに連結し、そして第２端部を前記キャップに連結した請求項１０に記載のテンショナ。
【請求項１２】
非対称性ダンパ作用を発揮する請求項１に記載のテンショナ。
【請求項１３】
前記アームアーバーの前記キャビティに延入するように前記凸部の寸法を設定した請求項１に記載のテンショナ。
【請求項１４】
全体として円筒形のスリーブを前記アームアーバーが有し、このスリーブが開口した第１端部、およびこの第１端部より小さく開口した第２端部になる部分的底部を有する請求項１に記載のテンショナ。
【請求項１５】
前記スロットが前記部分的底部に至るまで前記スリーブを貫通し、組み立て中に、前記ブッシュが前記アームアーバーに滑り嵌合することができる請求項１４に記載のテンショナ。
【誤訳訂正書】
【提出日】平成26年6月11日(2014.6.11)
【誤訳訂正１】
【訂正対象書類名】特許請求の範囲
【訂正対象項目名】全文
【訂正方法】変更
【訂正の内容】
【特許請求の範囲】
【請求項１】
筐体と、少なくとも１つのプラグコンタクトとを備える電気部品であって、
前記プラグコンタクトは、コンタクトマウント上に浮いた状態で保持されており、
前記コンタクトマウントは、前記筐体上に浮いた状態で保持されており、
前記プラグコンタクトは、前記コンタクトマウントに対して横方向および縦方向の両方に調整することができる
電気部品。
【請求項２】
前記筐体上に前記コンタクトマウントを浮いた状態で保持するべく、少なくとも１つの補償デバイスが設けられている請求項１に記載の電気部品。
【請求項３】
前記補償デバイスは、前記筐体に取り付けられており、
前記コンタクトマウントは、前記補償デバイス上に保持されている請求項２に記載の電気部品。
【請求項４】
前記補償デバイスは、前記コンタクトマウントの開口に設けられている少なくとも１つのセンタリングコーンを有する請求項２または３に記載の電気部品。
【請求項５】
前記センタリングコーンは、前記センタリングコーンによって前記コンタクトマウントの角度方向および横方向の配向を決定できるように、前記開口において前記コンタクトマウントを保持する請求項４に記載の電気部品。
【請求項６】
一方の側において、前記開口に前記センタリングコーンが設けられており、他方の側において、円板が設けられている請求項４または５に記載の電気部品。
【請求項７】
前記補償デバイスを基本位置にプリロードするべく、少なくとも１つのプリロードデバイスが設けられている請求項２から６のいずれか一項に記載の電気部品。
【請求項８】
少なくとも１つの長方形の誘導ピンを備え、
前記誘導ピンは、長手方向を横断するように、少なくとも１つの環状拡大外囲体を持つ請求項１に記載の電気部品。
【請求項９】
前記誘導ピンは、管状の形状を持ち、および／または、先端部が円すい形状である請求項８に記載の電気部品。
【請求項１０】
前記環状拡大外囲体は、環状またはリング形状の外囲体を形成する複数の別箇の外向きに突出した突起部によって形成されている請求項８または９に記載の電気部品。
【請求項１１】
２以上の環状拡大外囲体は、互いに離間して設けられており、少なくとも一の誘導ピンに設けられている請求項８から１０のうちいずれか一項に記載の電気部品。
【請求項１２】
前記誘導ピンは、前記環状拡大外囲体が設けられている箇所において、外径が１０％未満増加している請求項８から１１のいずれか一項に記載の電気部品。
【請求項１３】
少なくとも１つの誘導ピンは、先端部が円すい形状または丸みを帯びた形状である請求項８から１２のいずれか一項に記載の電気部品。
【請求項１４】
前記電気部品は、接続筐体と、一の張力緩和装置とを有する接続プラグを備え、
前記接続筐体は、基礎本体と、コンタクト本体とを有し、
前記張力緩和装置は、前記基礎本体に埋設されている張力緩和部であって、前記コンタクト本体によって前記基礎本体内においてインターロックされ固定されている張力緩和部を含む請求項１に記載の電気部品。
【請求項１５】
前記張力緩和部は、長尺状の金属シート部を含む請求項１４に記載の電気部品。
【請求項１６】
前記基礎本体上に設けられている少なくとも１つの保持用留め金が、前記張力緩和部の一の開口と係合する請求項１４または１５に記載の電気部品。
【請求項１７】
前記基礎本体は、中空である請求項１４から１６のいずれか一項に記載の電気部品。
【誤訳訂正２】
【訂正対象書類名】明細書
【訂正対象項目名】００３２
【訂正方法】変更
【訂正の内容】
【００３２】
特に好ましい実施形態によると、基礎本体は、張力緩和部およびコンタクト本体を収容するべく中空である。
【誤訳訂正３】
【訂正対象書類名】明細書
【訂正対象項目名】００６２
【訂正方法】変更
【訂正の内容】
【００６２】
実装状態では、保持用留め金３５が基礎本体３１の内部および／または上部において開口３６内に設けられている一方、張力緩和部３３の他端が基礎本体３１から突出している。他端において、ケーブル結合部または他の構成要素を接続するべく、溝４０が設けられているとしてよい。組立時には、開口３６を持つ張力緩和部が最初に、接続プラグ２８の基礎本体３１内に挿入される。この後、開口３６が基礎本体３１の内部において保持用留め金３５に位置決めされ、張力緩和部３３は基礎本体３１の内壁に載置される。この後、同図には図示していないがコンタクト筐体を持つコンタクト本体３２は、中空の基礎本体３１内に導入されるとしてよく、コンタクト本体３２および張力緩和部３３は、基礎本体３１においてインターロック方式に挿入される。接続プラグ２８を回路基板またはコンタクトマウント７に実装することによって、コンタクト本体３２も基礎本体３１上に安全に載置できる。
【手続補正書】
【提出日】平成26年1月16日(2014.1.16)
【手続補正１】
【補正対象書類名】特許請求の範囲
【補正対象項目名】請求項１７
【補正方法】変更
【補正の内容】
【請求項１７】
コンピュータによって読み取り可能なストレージ媒体に実装されたコンピュータプログラムであって、
複数の数字に関する情報を含む受信画像から、前記複数の数字の１つに関連付けられている部分画像を抽出するための機能と、
前記部分画像に関連付けられているトポロジー情報セットに少なくとも部分的に基づいて、認識を実行する機能であって、
前記部分画像に関連付けられている前記トポロジー情報セットを得るために、前記部分画像を処理することと、
前記部分画像に関連付けられている前記トポロジー情報セットを、事前設定され記憶されているトポロジー情報セットと比較することと、
前記部分画像に関連付けられている前記トポロジー情報セットが、前記事前設定され記憶されているトポロジー情報セットと一致する場合に、前記部分画像を、前記事前設定された記憶されているトポロジー情報セットに関連付けられている認識された数字に関連付けられていると決定することと、
を含む、認識を実行するための機能と、
をコンピュータによって実現させる、コンピュータプログラム。
【手続補正２】
【補正対象書類名】明細書
【補正対象項目名】００８１
【補正方法】変更
【補正の内容】
【００８１】
以上の実施形態は、理解を明瞭にする目的で幾らか詳細に説明されてきたが、発明は、提供された詳細に限定されない。発明を実現するには、数々の代替的手法がある。開示された実施形態は、例示的なものであり、限定を目的としたものではない。
適用例１：システムであって、プロセッサであって、複数の数字に関する情報を含む受信画像から、前記複数の数字の１つに関連付けられている部分画像を抽出することと、前記部分画像に関連付けられているトポロジー情報セットに少なくとも部分的に基づいて、認識を実行することであって、前記部分画像に関連付けられている前記トポロジー情報セットを得るために、前記部分画像を処理することと、前記部分画像に関連付けられている前記トポロジー情報セットを、事前設定され記憶されているトポロジー情報セットと比較することと、前記部分画像に関連付けられている前記トポロジー情報セットが、前記事前設定され記憶されているトポロジー情報セットと一致する場合に、前記部分画像を、前記事前設定され記憶されているトポロジー情報セットに関連付けられている認識された数字に関連付けられていると決定することとを含む認識を実行するように構成されているプロセッサと、前記プロセッサと接続され、前記プロセッサに命令を提供するように構成されているメモリと、を備える、システム。
適用例２：適用例１に記載のシステムであって、前記プロセッサは、更に、前記部分画像を精緻化するように構成されている、システム。
適用例３：適用例２に記載のシステムであって、前記部分画像を精緻化することは、前記部分画像に対して画像デグラデーションを適用することを含む、システム。
適用例４：適用例１に記載のシステムであって、前記部分画像を処理することは、前記部分画像に関連付けられている１つ又は２つ以上の頂点及び１つ又は２つ以上の辺を抽出することによって、前記トポロジー情報セットを得ることを含む、システム。
適用例５：適用例４に記載のシステムであって、前記プロセッサは、更に、前記１つ又は２つ以上の頂点の少なくとも一部分及び前記１つ又は２つ以上の辺の少なくとも一部分に関連付けられている閉じられた環があるかどうかを決定するように構成されている、システム。
適用例６：適用例１に記載のシステムであって、前記事前設定され記憶されているトポロジー情報セットは、データベースに記憶されている、システム。
適用例７：適用例１に記載のシステムであって、前記プロセッサは、更に、前記認識された数字を表示するように構成されている、システム。
適用例８：適用例１に記載のシステムであって、前記認識された数字は、０、１、２、３、４、５、６、７、８、又は９の１つである、システム。
適用例９：方法であって、複数の数字に関する情報を含む受信画像から、前記複数の数字の１つに関連付けられている部分画像を抽出することと、前記部分画像に関連付けられているトポロジー情報セットに少なくとも部分的に基づいて、認識を実行することであって、前記部分画像に関連付けられている前記トポロジー情報セットを得るために、前記部分画像を処理することと、前記部分画像に関連付けられている前記トポロジー情報セットを、事前設定され記憶されているトポロジー情報セットと比較することと、前記部分画像に関連付けられている前記トポロジー情報セットが、前記事前設定され記憶されているトポロジー情報セットと一致する場合に、前記部分画像を、前記事前設定され記憶されているトポロジー情報セットに関連付けられている認識された数字に関連付けられていると決定することと、を含む、認識を実行することと、を備える方法。
適用例１０：適用例９に記載の方法であって、更に、前記部分画像を精緻化することを備える方法。
適用例１１：適用例１０に記載の方法であって、前記部分画像を精緻化することは、前記部分画像に対して画像デグラデーションを適用することを含む、方法。
適用例１２：適用例９に記載の方法であって、前記部分画像を処理することは、前記部分画像に関連付けられている１つ又は２つ以上の頂点及び１つ又は２つ以上の辺を抽出することによって、前記トポロジー情報セットを得ることを含む、方法。
適用例１３：適用例１２に記載の方法であって、更に、前記１つ又は２つ以上の頂点の少なくとも一部分及び前記１つ又は２つ以上の辺の少なくとも一部分に関連付けられている閉じられた環があるかどうかを決定することを備える方法。
適用例１４：適用例９に記載の方法であって、前記事前設定され記憶されているトポロジー情報セットは、データベースに記憶されている、方法。
適用例１５：適用例９に記載の方法であって、更に、前記認識された数字を表示することを備える方法。
適用例１６：適用例９に記載の方法であって、前記認識された数字は、０、１、２、３、４、５、６、７、８、又は９の１つである、方法。
適用例１７：コンピュータによって読み取り可能なストレージ媒体に実装されたコンピュータプログラム製品であって、複数の数字に関する情報を含む受信画像から、前記複数の数字の１つに関連付けられている部分画像を抽出するためのコンピュータ命令と、前記部分画像に関連付けられているトポロジー情報セットに少なくとも部分的に基づいて、認識を実行することであって、前記部分画像に関連付けられている前記トポロジー情報セットを得るために、前記部分画像を処理することと、前記部分画像に関連付けられている前記トポロジー情報セットを、事前設定され記憶されているトポロジー情報セットと比較することと、前記部分画像に関連付けられている前記トポロジー情報セットが、前記事前設定され記憶されているトポロジー情報セットと一致する場合に、前記部分画像を、前記事前設定された記憶されているトポロジー情報セットに関連付けられている認識された数字に関連付けられていると決定することと、を含む、認識を実行するためのコンピュータ命令と、
を備えるコンピュータプログラム製品。